(57)【特許請求の範囲】
【請求項１】
取り付け対象部位に設けられる支持部材と、その支持部材に支持されると共に内部にシャッターが巻き取られて収納されるボックス本体とを備えたシャッターボックスの取付構造において、
前記支持部材は、対象部位に対して別体又は一体に構成され、前記ボックス本体を一時的に引っ掛けて支持すると共に支持したボックス本体のほぼ水平方向の移動を許容する仮付け部を備え、当該仮付け部は、前記シャッターボックスを両側から挟むように延出して設けられた縦板状部材で構成され、かつその上端部がほぼ水平に形成されると共に、前記ボックス本体が仮付けされたときに先端が当該ボックス本体の重心よりも先に位置して当該ボックス本体を支持し、
前記ボックス本体は、前記仮付け部に引っ掛かってボックス本体を支持すると共にほぼ水平方向に移動できるフック部を備え、当該フック部は、前記ボックス本体が前記仮付け部に上側から載置されて引っ掛かるように、ボックス本体の両側壁に形成され、
前記支持部材とボックス本体との間には、前記仮付け部に一時的に引っ掛けて支持されたボックス本体を仮付け部に案内されて押し込むことでボックス本体が支持部材側に結合される結合手段を備え、当該結合手段は、前記仮付け部の奥側に設けられた被嵌合部と、前記フック部の先端部近傍に設けられ、前記ボックス本体が押し込まれることで前記被嵌合部に嵌合して前記ボックス本体が前記仮付け部側に結合される嵌合部とから構成されたことを特徴とするシャッターボックスの取付構造。
【請求項２】
請求項１に記載のシャッターボックスの取付構造において、
前記被嵌合部は、前記仮付け部に形成されたくさび状突起によって構成され、
前記嵌合部は、前記フック部が前記くさび状突起を乗り越えて覆い被さった状態でこのくさび状突起に嵌合する嵌合穴によって構成されたことを特徴とするシャッターボックスの取付構造。
【発明の詳細な説明】
【０００１】
【発明の属する技術分野】
本発明は、本体内にシャッターを巻き取って収納したシャッターボックスの、壁面、窓枠や扉枠等への取付構造に関する。
【０００２】
【従来の技術】
一般に、シャッターボックスは図２及び図３に示すように構成されている。なお、図２はシャッターボックス１の内部構造を示す斜視図、図３はシャッターボックス１の取り付け状態を示す斜視図である。
【０００３】
シャッターボックス１は、通常図３に示すように、通路や窓等の上部に取り付けられる。シャッターボックス１の両端の下側にはガイドレール２，３が配設され、シャッターボックス１内に巻き取ったシャッター４の上下動を案内する。そして、シャッター４はシャッターボックス１から引き出されてガイドレール２，３に沿って下ろされ、窓や通路等を塞ぐ。
【０００４】
シャッターボックス１の具体的な構造は図２のようになっている。図中の５は巻き取り軸である。この巻き取り軸５の両端部にはブラケット６，７が配設され、巻き取り軸５を回転可能に支持している。各ブラケット６，７は、複数の補強板８，９で補強されている。なお、補強板８，９は、断面Ｌ字型に形成されている。また、ブラケット６，７及び補強板８，９には、それらを覆う箱状の化粧板１０（図３参照）が取り付けられている。巻き取り軸５には、引き出されたシャッター４を軽い力で持ち上げられるようにするためのスプリング１１が設けられている。
【０００５】
前記構成のシャッターボックス１は、窓等の上部に取り付けられた支持板１２，１３で支持される。この支持板１２，１３は、シャッターボックス１の壁側の補強板９に引っ掛かることで、シャッターボックス１を支持するようになっている。
【０００６】
この支持板１２，１３は具体的には、支持板１２，１３自身を壁等に固定するためのネジ穴１２Ａ，１３Ａを備えた平板部１２Ｂ，１３Ｂと、この平板部１２Ｂ，１３Ｂの上部に設けられ、断面Ｌ字型の補強板９の縦板部分に係止してシャッターボックス１を支持する係止用段部１２Ｃ，１３Ｃと、この係止用段部１２Ｃ，１３Ｃの上部に前方（取り付けられるシャッターボックス１側）へ傾斜して形成され、補強板９の縦板部分を係止用段部１２Ｃ，１３Ｃへ案内する案内板部１２Ｄ，１３Ｄと、平板部１２Ｂ，１３Ｂの下部に水平に張り出して設けられると共にその中央部にネジ穴１２Ｅ，１３Ｅが設けられ、シャッターボックス１を下側から固定して支持する下側支持板部１２Ｆ，１３Ｆとから構成されている。
【０００７】
このように構成された支持板１２，１３は、シャッターボックス１が取り付けられる位置の壁等に固定される。そして、シャッターボックス１は、支持板１２，１３に吊り込んで支持される。
【０００８】
シャッターボックス１の取り付けは次のようにして行われる。支持板１２，１３の位置までシャッターボックス１を運び、一旦上方へ持ち上げて、補強板９を支持板１２，１３の案内板部１２Ｄ，１３Ｄに掛ける。補強板９が案内板部１２Ｄ，１３Ｄに掛かった状態で、シャッターボックス１をそのまま下ろす。これにより、補強板９が案内板部１２Ｄ，１３Ｄに案内されて係止用段部１２Ｃ，１３Ｃにはまり込んで支持される。シャッターボックス１の下部は下側支持板部１２Ｆ，１３Ｆに支持される。
【０００９】
【発明が解決しようとする課題】
ところが、前記構成のシャッターボックス１の取付構造では、シャッターボックス１を支持板１２，１３に吊り込むために一旦持ち上げる必要がある。このため、天井近くにシャッターボックス１を取り付ける場合には、シャッターボックス１を持ち上げて支持板１２，１３に吊り込むためのスペースを、シャッターボックスの上部に確保する必要がある。このスペースはシャッターボックス１の取り付けのときだけ必要なもので、その後は無駄なスペースとなる。さらに、設計上の制約も受ける。
【００１０】
また、シャッターボックス１を取り付けるときには、シャッターボックス１を、作業者が手で持ったり、或いはクレーンやフォークリフトを用いて、取付位置よりも高い位置まで一旦持ち上げて、補強板９を支持板１２，１３に位置合わせしなければならない。
【００１１】
しかし、シャッターボックス１を手で持ち上げる場合には、シャッターボックス１が相当な重さであるため、補強板９を支持板１２，１３に位置合わせして掛ける作業は容易ではなく、取付け作業性が悪い。また、クレーンやフォークリフトを用いる場合は、さらに位置合わせが困難で、取付け作業性が悪い。
【００１２】
本発明はこのような問題点に鑑みてなされたもので、取り付けのためのスペースを必要とせずに、取り付け作業性を向上させたシャッターボックスの取付構造を提供することを目的とする。
【００１３】
【課題を解決するための手段】
第１の発明に係るシャッターボックスの取付構造は、取り付け対象部位に設けられる支持部材と、その支持部材に支持されると共に内部にシャッターが巻き取られて収納されるボックス本体とを備えたシャッターボックスの取付構造において、前記支持部材は、対象部位に対して別体又は一体に構成され、前記ボックス本体を一時的に引っ掛けて支持すると共に支持したボックス本体のほぼ水平方向の移動を許容する仮付け部を備え、当該仮付け部は、前記シャッターボックスを両側から挟むように延出して設けられた縦板状部材で構成され、かつその上端部がほぼ水平に形成されると共に、前記ボックス本体が仮付けされたときに先端が当該ボックス本体の重心よりも先に位置して当該ボックス本体を支持し、前記ボックス本体は、前記仮付け部に引っ掛かってボックス本体を支持すると共にほぼ水平方向に移動できるフック部を備え、当該フック部は、前記ボックス本体が前記仮付け部に上側から載置されて引っ掛かるように、ボックス本体の両側壁に形成され、前記支持部材とボックス本体との間には、前記仮付け部に一時的に引っ掛けて支持されたボックス本体を仮付け部に案内されて押し込むことでボックス本体が支持部材側に結合される結合手段を備え、当該結合手段は、前記仮付け部の奥側に設けられた被嵌合部と、前記フック部の先端部近傍に設けられ、前記ボックス本体が押し込まれることで前記被嵌合部に嵌合して前記ボックス本体が前記仮付け部側に結合される嵌合部とから構成されたことを特徴とする。
【００１４】
前記構成により、ボックス本体を取り付けるときは、支持部材の仮付け部にボックス本体のフック部を引っ掛ける。次いで、ボックス本体の水平方向の奥側へ押し込む。これだけで、取付作業は完了する。
【００１５】
このときフック部は、支持部材の仮付け部に上側から乗せるだけで容易に引っ掛かり、仮付けが容易にできる。ボックス本体を仮付け部に一時的に引っ掛けた状態で押し込むと、結合手段でボックス本体が支持部材側に結合され、容易に固定される。即ち、ボックス本体を仮付け部に一時的に引っ掛けた状態で押し込むと、最奥の位置で被嵌合部に嵌合部が嵌合して、ボックス本体が仮付け部側に容易に固定される。
第２の発明に係るシャッターボックスの取付構造は、第１の発明に係るシャッターボックスの取付構造において、前記被嵌合部は、前記仮付け部に形成されたくさび状突起によって構成され、前記嵌合部は、前記フック部が前記くさび状突起を乗り越えて覆い被さった状態でこのくさび状突起に嵌合する嵌合穴によって構成されたことを特徴とする。
【００１６】
前記構成により、ボックス本体を仮付け部に一時的に引っ掛けた状態で押し込むと、ボックス本体のフック部がくさび状突起を乗り越えて覆い被さり、嵌合穴がくさび状突起に整合したところで嵌合する。これにより、ボックス本体が仮付け部側に固定される。
【００１７】
【発明の実施の形態】
以下、本発明に係るシャッターボックスについて、添付図面を参照しながら説明する。なお、シャッターボックスの全体構成及び取り付け状態は図３で説明した前記従来のシャッターボックス１と同様であるため、ここでは同一部材には同一符号を付してその説明を省略する。
【００１８】
本実施形態に係るシャッターボックス２１は、図１及び図４に示したように構成されている。図中の２２は巻き取り軸である。この巻き取り軸２２は前記従来の巻き取り軸５と同様である。巻き取り軸２２の両端部にはブラケット２３，２４が配設され、巻き取り軸２２を回転可能に支持している。巻き取り軸２２には、従来と同じスプリング１１が設けられている。
【００１９】
各ブラケット２３，２４は、補強板２５で補強されている。この補強板２５は従来の補強板８と同様の構成を有している。なお、シャッターボックス２１の固定手段として従来の支持板１２，１３を用いないので、従来の補強板９は必要なく、省略されている。各ブラケット２３，２４及び補強板２５には化粧板１０が取り付けられている。そして、これらブラケット２３，２４、補強板２５及び化粧板１０で、シャッター４を収納できるだけの十分な強度を備えたボックス本体が構成されている。
【００２０】
ブラケット２３，２４は、その周縁部のうち前後両側及び下側が、補強等のために内側へ折り曲げられている。このブラケット２３，２４の上部には、後述する仮付け板部３５Ｃ，３６Ｃに引っ掛けるフック部２８，２９が設けられている。このフック部２８，２９は、ブラケット２３，２４の上端部を外側に折り曲げて、下方が開口した溝状に形成されている。このフック部２８，２９の溝底は水平に形成されており、仮付け板部３５Ｃ，３６Ｃに引っ掛かった状態で水平方向に摺動できるようになっている。これにより、シャッターボックス２１が仮付け板部３５Ｃ，３６Ｃに沿って前後方向に摺動できるようになっている。
【００２１】
フック部２８，２９の上面壁（溝底壁）には嵌合穴３１，３２が設けられている。この嵌合穴３１，３２は、後述する仮付け板部３５Ｃ，３６Ｃの係止爪３５Ｆ，３６Ｆが嵌合することで、シャッターボックス２１を位置決め固定するためのものである。嵌合穴３１，３２は、フック部２８，２９の溝底のうち、取り付け壁側（図１中の右奥側）の端部近傍に設けられている。これは、作業者がシャッターボックス２１を持ち上げ、仮付け板部３５Ｃ，３６Ｃに引っ掛けて仮付けをするとき、即ち、シャッターボックス２１を最終的に位置決め固定する前に、一時的に取り付けるときに邪魔にならないようにするためである。換言すれば、シャッターボックス２１を仮付け板部３５Ｃ，３６Ｃに引っ掛けて仮付けするときに、障害にならず、その後押し込んで最終的に位置決め固定する段階で、嵌合穴３１，３２が係止爪３５Ｆ，３６Ｆに確実に嵌合できるようにするためである。
【００２２】
シャッターボックス２１が取り付けられる位置には支持板３５，３６が設けられる。この支持板３５，３６は、支持板３５，３６自身を壁等に固定するための釘穴３５Ａ，３６Ａを備えた平板部３５Ｂ，３６Ｂと、この平板部３５Ｂ，３６Ｂの外側に設けられ、シャッターボックス２１を一時的に引っ掛けて支持すると共に支持したシャッターボックス２１の水平方向の移動を許容する仮付け部としての仮付け板部３５Ｃ，３６Ｃと、平板部３５Ｂ，３６Ｂの下部に設けられ、シャッターボックス２１を下側から固定支持するネジ穴３５Ｄ，３６Ｄを備えた下側支持板部３５Ｅ，３６Ｅとから構成されている。平板部３５Ｂ，３６Ｂ及び下側支持板部３５Ｅ，３６Ｅは、前記従来の平板部１２Ｂ，１３Ｂ及び下側支持板部１２Ｆ，１３Ｆと同様である。下側支持板部３５Ｅ，３６Ｅのネジ穴３５Ｄ，３６Ｄは、ブラケット２３，２４の下側の折り返し部分に設けられたネジ穴（図示せず）と整合し、ネジ３８でシャッターボックス２１と各支持板３５，３６とが固定されるようになっている。
【００２３】
仮付け板部３５Ｃ，３６Ｃは、各平板部３５Ｂ，３６Ｂの外側に位置し、平板部３５Ｂ，３６Ｂ（取り付けられる壁等）に対して直角方向（前方方向）に延びて形成されている。これにより、各仮付け板部３５Ｃ，３６Ｃはシャッターボックス２１を外側から挟んで支持するように配設されている。仮付け板部３５Ｃ，３６Ｃはほぼ台形状に形成されている。具体的には、仮付け板部３５Ｃ，３６Ｃの上端の縁部は水平になるように形成されている。下側の縁部はシャッターボックス２１を支持するのに十分な強度を持たせるために傾斜させて形成されている。
【００２４】
これにより、シャッターボックス２１を各仮付け板部３５Ｃ，３６Ｃの間に挿入すると、各仮付け板部３５Ｃ，３６Ｃが各フック部２８，２９の下側に入り込んで、シャッターボックス２１が支持板３５，３６に支持されるようになっている。
【００２５】
仮付け板部３５Ｃ，３６Ｃの上端の縁部のうちの奥側には被嵌合部としての係止爪３５Ｆ，３６Ｆが設けられている。この係止爪３５Ｆ，３６Ｆは、前記嵌合穴３１，３２に嵌合することで、シャッターボックス２１を位置決め固定するためのものである。この係止爪３５Ｆ，３６Ｆは、仮付け板部３５Ｃ，３６Ｃの上端の縁部のうち、最奥側に設けることが望ましい。これは、仮付けを容易にするためである。即ち、フック部２８，２９が係止爪３５Ｆ，３６Ｆに接触しないで仮付け板部３５Ｃ，３６Ｃに引っ掛かって、重いシャッターボックス２１を支持板３５，３６に支持できるようにするためである。また、仮付け板部３５Ｃ，３６Ｃの全長は、シャッターボックス２１の奥行き寸法（ブラケット２３，２４の横幅）の６割から７割程度に設定されている。これにより、シャッターボックス２１が支持板３５，３６に仮付けされたとき、仮付け板部３５Ｃ，３６Ｃの先端がシャッターボックス２１の重心よりも先に位置して、シャッターボックス２１が安定して支持できるようになっている。
【００２６】
係止爪３５Ｆ，３６Ｆは、奥側へ向けて徐々にせり出したくさび状に形成されている。これにより、フック部２８，２９が仮付け板部３５Ｃ，３６Ｃに引っ掛けられて最奥へ移動すると、このフック部２８，２９の先端部（奥側端部）がくさび状の係止爪３５Ｆ，３６Ｆに乗り上げ、嵌合穴３１，３２と係止爪３５Ｆ，３６Ｆとが整合したところではまり合って位置決め固定されるようになっている。
【００２７】
［動作］
以上のように構成されたシャッターボックス２１は、次のようにして取り付けられる。
【００２８】
まず、水切板（図示せず）を床部に取り付け、レール支持枠（図示せず）を窓等の両側に取り付ける。次いで、支持板３５，３６を窓等の上部に取り付ける。この場合、設計された取付態様に応じて、窓等の周囲の壁部に取り付けたり、窓のサッシ、レール支持枠等に直接取り付けたりする。
【００２９】
次いで、シャッターボックス２１を支持板３５，３６に取り付ける。具体的には、まずシャッターボックス２１の各フック部２８，２９を各支持板３５，３６の仮付け板部３５Ｃ，３６Ｃに引っ掛けて仮付けする。
【００３０】
次いで、シャッターボックス２１を水平方向奥側へ押し込み、嵌合穴３１，３２と係止爪３５Ｆ，３６Ｆを嵌合させて位置決め固定する。
【００３１】
その後、シャッターボックス２１の下側をネジ３８で固定する。
【００３２】
次に、ガイドレール２，３を、その上端部がシャッターボックス２１内に挿入した状態で、上記レール支持枠に固定する。
【００３３】
以上で、取付作業は完了する。
【００３４】
［効果］
以上のように、シャッターボックス２１は、支持板３５，３６に引っ掛けて水平方向に押し込むことで取り付けられるため、一旦持ち上げる作業が不要となる。また、重いシャッターボックス２１を位置決め固定する前に、支持板３５，３６に容易に引っ掛けて仮付けすることができると共に仮付け後に押し込むだけで容易に位置決め固定される。このため、シャッターボックス２１の取り付け作業性が大幅に向上する。
【００３５】
また、シャッターボックス２１を取り付けるときは、シャッターボックス２１を各支持板３５，３６の間に挿入するだけでよく、取り付けに際してシャッターボックス２１を一旦持ち上げて吊り込む作業が不要になった。このため、吊り込むためのスペースをシャッターボックス２１の上部に確保する必要がなくなり、無駄なスペースを省略することができると共に、設計上の制約もなくなる。
【００３６】
［変形例］
（１）  前記実施形態では、支持板３５，３６を独立した部材として構成したが、窓のサッシや、扉、通路の枠等に一体的に形成してもよい。これによっても、前記実施形態同様の作用、効果を奏することができる。
【００３７】
（２）  フック部２８，２９はブラケット２３，２４の上端部に設けたが、ブラケット２３，２４の中間位置や下部に設けてもよい。
【００３８】
（３）  結合手段として嵌合穴３１，３２と係止爪３５Ｆ，３６Ｆを設けたが、これに限らず、互いに結合できるものであればよい。例えば、棒状の嵌合部と、この嵌合部が挿入される嵌合穴とで、結合手段を構成してもよい。また、接着剤を用いてもよい。
【００３９】
さらに、マグネットを用いてもよい。なお、マグネットを用いる場合は、シャッターボックス２１だけでなく、ガイドレール２，３等の他の部材も、ある程度強力なマグネットで取り受けるようにしてもよい。このように、マグネットを使用すると、シャッターの取り付け作業と取り外し作業の両方が容易にできるため、台風等の非常時にのみシャッターを取り付け、通常はシャッターを設けないというような使用態様も可能になる。
【００４０】
（４）  シャッター４は、上から下へ引き下げることで閉める構成にしたが、横方向に引くことで、又は下から上に引き上げることで閉める構成にしてもよい。
【００４１】
（５）  下側支持板部３５Ｅ，３６Ｅは設けずに、仮付け板部３５Ｃ，３６Ｃにネジ穴を設けて、支持板３５，３６とブラケット２３，２４とを横方向からネジで固定するようにしてもよい。
【００４２】
（６）  支持板３５，３６の仮付け板部３５Ｃ，３６Ｃは、それぞれに１つだけ設けたが、シャッターボックス２１が大型で重い場合等には、上下二段にしてもよい。
【００４３】
（７）  フック部２８，２９は、ブラケット２３，２４の一部を折り返して形成したが、別部材として構成してブラケット２３，２４に取り付けるようにしてもよい。
【００４４】
（８）  支持板３５，３６の仮付け板部３５Ｃ，３６Ｃの上端部は水平に形成され、フック部２８，２９が引っ掛けられた状態でシャッターボックス２１が水平方向奥側に押し込まれるようにしたが、仮付け板部３５Ｃ，３６Ｃの上端部は多少傾斜させてもよい。例えば、平板部３５Ｂ，３６Ｂから延出される前方へ向けて、上方へ傾斜させてもよい。この場合は、引っ掛けられたフック部２８，２９が平板部３５Ｂ，３６Ｂの傾斜に沿って滑りやすくなり、シャッターボックス２１を奥側に軽い力で容易に押し込むことができるようになる。
【００４５】
（９）  本実施形態では、支持部材の仮付け部を仮付け板部３５Ｄ，３６Ｄで構成したが、板材に限らず、棒材を用いてもよい。さらに、仮付け部の配設位置もシャッターボックス２１の両側端部に限らず、中央付近に設けてもよい。例えば、図５に示すように、支持部材として２本の棒材４１，４２を用い、この棒材４１，４２を互いに近接させて設け、シャッターボックス２１の中央付近に設けたフック部としての挿入穴４３，４４に挿入して、シャッターボックス２１を支持させるようにしてもよい。なお、棒材４１，４２には補強用のリブ４１Ａ，４２Ａを設けてもよい。この棒材４１，４２に係止爪（３５Ｆ，３６Ｆ）を設ける場合は、棒材４１，４２のうち、真上の位置に限らず、斜め、横側、下側の位置でもよい。なお、横側、下側の位置に係止爪を設ける場合は、棒材４１，４２と係止爪の寸法を、挿入穴４３，４４の内径寸法よりも多少大きく設定する。
【００４６】
また、図６に示すように、支持部材として板材４６を用い、この板材４６をシャッターボックス２１の中央付近に設けたフック部としての挿入穴４７に挿入して、シャッターボックス２１を支持させるようにしてもよい。板材４６の場合も必要に応じて補強用リブを設ける。
【００４７】
さらに、挿入穴４３，４４，４７は、シャッターボックス２１の上部に内蔵して設けたが、シャッターボックス２１の上端から外側に膨らませて設けてもよい。また、挿入穴４３，４４，４７は、シャッターボックス２１の下部に設けてもよい。この場合も、挿入穴４３，４４，４７をシャッターボックス２１内に内蔵しても、下側に膨らませて設けてもよい。
【００４８】
さらに、棒材４１，４２の挿入穴４３，４４の場合にはブラケット２３，２４に設けてもよい。この場合も、上記同様に、内蔵しても、外側に膨らませて設けてもよい。
【００４９】
（１０）  本実施形態では、フック部２８，２９を、ブラケット２３，２４の一部を折り返して下方に開口した溝状に形成したが、溝状でなくてもよい。具体的には、フック部２８，２９のうち、ブラケット２３，２４から水平に張り出した底板部だけでもよい。この場合でも、支持板３５，３６の仮付け板部３５Ｃ，３６Ｃは、シャッターボックス２１の両側からブラケット２３，２４にほぼ密着する状態になるので、シャッターボックス２１が左右にずれて落ちることはなく、確実に支持される。
【００５０】
【発明の効果】
以上、詳述したように本発明によれば、次のような効果を奏する。
【００５１】
シャッターボックスは、支持部材に引っ掛けて水平方向に押し込むことで取り付けられるため、取り付け作業性が大幅に向上する。
【００５２】
また、シャッターボックスを取り付けるときは、一旦持ち上げて吊り込む作業が不要になるので、吊り込むためのスペースをシャッターボックスの上部に確保する必要がなくなり、無駄なスペースを省略することができると共に、設計上の制約をなくすことができる。
【図面の簡単な説明】
【図１】本発明の実施形態に係るシャッターボックスの内部構造を示す斜視図である。
【図２】従来のシャッターボックスの内部構造を示す斜視図である。
【図３】シャッターボックスの取り付け状態を示す斜視図である。
【図４】本発明の実施形態に係るシャッターボックスの取付状態を示す側面断面図である。
【図５】本発明の第１変形例を示す要部斜視図である。
【図６】本発明の第２変形例を示す要部斜視図である。
【符号の説明】
２，３：ガイドレール、４：シャッター、１０：化粧板、１１：スプリング、２１：シャッターボックス、２２：巻き取り軸、２３，２４：ブラケット、２５：補強板、２８，２９：フック部、３１，３２：嵌合穴、３５，３６：支持板、３５Ａ，３６Ａ：釘穴、３５Ｂ，３６Ｂ：平板部、３５Ｃ，３６Ｃ：仮付け板部、３５Ｄ，３６Ｄ：ネジ穴、３５Ｅ，３６Ｅ：下側支持板部、３５Ｆ，３６Ｆ：係止爪、３８：ネジ。
【図１】
0003620976.tif 000002
【図２】
0003620976.tif 000003
【図３】
0003620976.tif 000004
【図４】
0003620976.tif 000005
【図５】
0003620976.tif 000006
【図６】
0003620976.tif 000007